(57)【要約】【要約書】【課題】エアゾール式製品の不用意なガス抜きモード設定操作を防止する。【解決手段】噴霧用ボタン１０の下動操作とこれに続く回動操作によりガス抜きモードを設定する。カバー体２０は切欠き２４ａ〜２４ｄと環状垂下部２５とを備え、噴霧用ボタン１０はガス抜きモード設定用の突状部１２と誤操作防止用の取外し可能な起立片部１３とをこの切欠きに対応する形で備えている。起立片部１３を取り外していない図示の状態では、突状部１２が環状垂下部の底面２５ａの下方に位置する作動モードにおいても起立片部１３が切欠き部２４ｃに入ったままなので、当該ボタンを回動操作することができない。起立片部１３をボタン本体部１１から取り外せば、当該ボタンを押下げてからの回動操作が可能となる。この回動操作にともなって、突状部１２がステム付勢用の上方向の弾性力により環状垂下部２５の底面２５ａに保持された、ガス抜きモードとなる。【選択図】図１
2006131293.tif 000002
【特許請求の範囲】
【請求項１】
エアゾール容器に取り付けられるカバー体の開口部をステムとともに、その静止モード位置と作動モード位置との間で上下動する操作ボタンを、作動モード設定用の下動操作とこれに続く回動操作により、作動モードに対応したガス抜き位置に保持するガス抜き機構において、
前記カバー体は、前記操作ボタンを前記ガス抜き位置に保持するための保持作用部を備え、
前記操作ボタンは、前記回動操作に基づく前記保持作用部との当接作用により自らの前記ガス抜き位置から前記静止モード位置への復帰動作を阻止するための被保持作用部を備え、
前記カバー体と前記操作ボタンに対し、これらの一方に分離可能な形で固定されている一体化部および、分離前の当該一体化部との作用により当該操作ボタンの上下動は許容して少なくともガス抜きモード設定用の回動は阻止する操作規制部、からなるガス抜き誤操作防止構造を設けた、
ことを特徴とするエアゾール式のガス抜き機構。
【請求項２】
エアゾール容器に取り付けられるカバー体の開口部をステムとともに、その静止モード位置と作動モード位置との間で上下動する操作ボタンを、作動モード設定用の下動操作とこれに続く回動操作により、作動モードに対応したガス抜き位置に保持するガス抜き機構において、
前記カバー体は、前記操作ボタンを前記ガス抜き位置に保持するための保持作用部を備え、
前記操作ボタンは、前記回動操作に基づく前記保持作用部との当接作用により自らの前記ガス抜き位置から前記静止モード位置への復帰動作を阻止するための被保持作用部からなるガス抜きモード設定用部材を、利用者の操作面を有する既存のボタン本体部とは別部材の形で備えた、
ことを特徴とするエアゾール式のガス抜き機構。
【請求項３】
前記カバー体と前記ガス抜きモード設定用部材に対し、その一方に分離可能な形で固定されている一体化部および、分離前の当該一体化部との作用により当該操作ボタンの上下動は許容して少なくともガス抜きモード設定用の回動は阻止する操作規制部、からなるガス抜き誤操作防止構造を設けた、
ことを特徴とする請求項２記載のエアゾール式のガス抜き機構。
【請求項４】
請求項１乃至３記載のガス抜き機構を備えて放出用ガスおよび内容物を収容した、
ことを特徴とするエアゾール式製品
【請求項５】
エアゾール容器に取り付けられるカバー体の開口部をステムとともにその静止モード位置と作動モード位置との間で上下動し、作動モード設定用の下動操作とこれに続く回動操作により当該ステムを作動モードに対応したガス抜き位置に保持する機能を備えた、操作ボタンの一部を構成するガス抜きモード設定用部材であって、
利用者の操作面を有する既存のボタン本体部との係合部と、
前記操作ボタンを前記ガス抜き位置に保持するため前記カバー体に形成された保持作用部との当接作用により、当該操作ボタンの前記ガス抜き位置から前記静止モード位置への復帰動作を阻止するための被保持作用部と、
操作ボタンの上下動は許容して少なくともガス抜きモード設定用の回動を阻止するための、操作規制部と、これとの間の作用により当該阻止動作を行なうとともに分離可能な形で固定される態様の一体化部との、一方を備えた、
ことを特徴とするエアゾール式のガス抜きモード設定用部材。
【発明の詳細な説明】
【技術分野】
【０００１】
本発明は、エアゾール式製品を対象としたガス抜き機構やガス抜きモード設定用部材などに関し、特にエアゾール容器に取り付けられるカバー体の開口部をステムとともにその静止モード位置と作動モード位置との間で上下動する操作ボタンを、作動モード設定用の下動操作とこれに続く回動操作により、作動モードに対応したガス抜き位置に保持するガス抜き機構などに関する。
【０００２】
このガス抜き機構は使用済みエアゾールを廃棄するときに初めて必要となり、まだ内容物が存在しているエアゾール式製品の使用段階ではまったくの不要部分である。
【０００３】
そのため、ガス抜き機構の形状・構造は、エアゾール式製品の通常の使用段階では内容物放出動作の障害とならず、また利用者にとっていわば目障りにもならず、そして最終的な廃棄段階ではガス抜きモードに簡単に設定できるようになっていることが望ましく、本発明はこの要請に応えるものである。
【背景技術】
【０００４】
従来、操作ボタンを、その下動操作とこれに続く回動操作により、作動モードに対応したガス抜き位置に保持するガス抜き機構としては、例えば後述の特許文献１で開示されるものがある。
【０００５】
このガス抜き機構は、
・押下げヘッド（操作ボタン）の外周壁下端部分に係合板を形成し、
・容器本体に取り付けられる囲成筒（カバー体）の内向きフランジに当該係合板と合致する透孔を形成し、
・ガス抜きモード設定の際には、押下げヘッドを、その係合板が当該透孔を通過するまで下動させてから当該囲成筒との間で相対的に回動させることにより、当該係合板の上面部分と当該内向きフランジの天井面（下面）とが当接する状態（＝ガス抜きモード位置）に設定し、それを保持している。
【特許文献１】特開２００２−２８２７４６号公報
【発明の開示】
【発明が解決しようとする課題】
【０００６】
この従来のガス抜き機構の場合、押下げヘッドを作動モード位置まで下動させた後のガス抜きモード設定用の回動操作は自由であって、当該回動操作に対する阻止構造を備えていない。
【０００７】
そのため、通常の作動モード（下動位置）に設定された押下げヘッドを利用者が不意に回動したりすると、当該ヘッドがその下動位置に保持されたままのガス抜きモードに、利用者の作動モード設定という本来の意思に反する形で移行してしまい、使い勝手の点で利便性にかけるという問題点があった。
【０００８】
また、ガス抜きモード設定用の係合板と押下げヘッド全体とが一体成形物（１ピース）になっているので、この係合板を設けていない既存の押下げヘッドを転用する形のガス抜き機構を提供できないという問題点があった。
【０００９】
そこで、本発明では、操作ボタンおよび（エアゾール容器に取り付けられてその開口部を操作ボタンが上下動する）カバー体に、作動モード位置の操作ボタンをガス抜きモードに移行させて保持するための回動操作を阻止する誤操作防止構造を設け、この構造の一部を取り外すことによりガス抜きモードを設定できるようにして、作動モード位置の操作ボタンが不意にガス抜きモード位置に回動するのを防止し、内容物が容器に入っている通常の使用状態では必要のないガス抜きモード設定操作の確実化，安定化を図ることを目的とする。
【００１０】
また、操作ボタンの、その作動モード位置からガス抜きモード位置への回動操作を可能にしてその状態（ガス抜きモード）を保持するための構成要素部分をボタン本体部とは別部材のものとし、ガス抜きモード設定機能を有していない既存の操作ボタンもこの別部材を取り付けることによりガス抜きモードに設定・保持できるようにして、エアゾール式製品の操作ボタンの全体的な有効利用化を図ることを目的とする。
【課題を解決するための手段】
【００１１】
本発明は、以上の課題を次のようにして解決する。
（１）エアゾール容器（例えば後述の容器本体７０）に取り付けられるカバー体（例えば後述のカバー体２０,４０）の開口部（例えば後述の開口域２６,４３）をステム（例えば後述のステム５０）とともに、その静止モード位置と作動モード位置との間で上下動する操作ボタン（例えば後述の噴霧用ボタン１０,３０）を、作動モード設定用の下動操作とこれに続く回動操作により、作動モードに対応したガス抜き位置に保持するガス抜き機構において、
前記カバー体は、前記操作ボタンを前記ガス抜き位置に保持するための保持作用部（例えば後述の切欠き部分を除く環状垂下部２５の底面２５ａ，天井部４２の底面４２ｅ）を備え、
前記操作ボタンは、前記回動操作に基づく前記保持作用部との当接作用により自らの前記ガス抜き位置から前記静止モード位置への復帰動作を阻止するための被保持作用部（例えば後述の突状部１２）を備え、
前記カバー体と前記操作ボタンに対し、これらの一方に分離可能な形で固定されている一体化部（例えば後述の起立片部１３,３３）および、分離前の当該一体化部との作用により当該操作ボタンの上下動は許容して少なくともガス抜きモード設定用の回動は阻止する操作規制部（例えば後述の切欠き２４ｂ,４２ｂ）、からなるガス抜き誤操作防止構造を設ける。
（２）エアゾール容器（例えば後述の容器本体７０）に取り付けられるカバー体（例えば後述のカバー体２０,４０）の開口部（例えば後述の開口域２６,４３）をステム（例えば後述のステム５０）とともに、その静止モード位置と作動モード位置との間で上下動する操作ボタン（例えば後述の噴霧用ボタン３０）を、作動モード設定用の下動操作とこれに続く回動操作により、作動モードに対応したガス抜き位置に保持するガス抜き機構において、
前記カバー体は、前記操作ボタンを前記ガス抜き位置に保持するための保持作用部（例えば後述の切欠き部分を除く環状垂下部２５の底面２５ａ，天井部４２の底面４２ｅ）を備え、
前記操作ボタンは、前記回動操作に基づく前記保持作用部との当接作用により自らの前記ガス抜き位置から前記静止モード位置への復帰動作を阻止するための被保持作用部（例えば後述の突状部）からなるガス抜きモード設定用部材（例えば後述のガス抜きモード設定本体部３２）を、利用者の操作面（例えば後述の押圧操作面１１ａ,３１ａ）を有する既存のボタン本体部（例えば後述のボタン本体部３１）とは別部材の形で備える。
（３）上記（２）において、前記カバー体と前記ガス抜きモード設定用部材に対し、その一方に分離可能な形で固定されている一体化部（例えば後述の起立片部３３）および、分離前の当該一体化部との作用により当該操作ボタンの上下動は許容して少なくともガス抜きモード設定用の回動は阻止する操作規制部（例えば後述の切欠き２４ｂ,４２ｂ）、からなるガス抜き誤操作防止構造を設ける。
（４）エアゾール容器（例えば後述の容器本体７０）に取り付けられるカバー体（例えば後述のカバー体２０,４０）の開口部（例えば後述の開口域２６,４３）をステム（例えば後述のステム５０）とともにその静止モード位置と作動モード位置との間で上下動し、作動モード設定用の下動操作とこれに続く回動操作により当該ステムを作動モードに対応したガス抜き位置に保持する機能を備えた、操作ボタン（例えば後述の噴霧用ボタン３０）の一部を構成するガス抜きモード設定用部材であって、
利用者の操作面（例えば後述の押圧操作面３１ａ）を有する既存のボタン本体部（例えば後述のボタン本体部３１）との係合部（例えば後述の段周面部３２ａ，テーパ突出部３２ｂ）と、
前記操作ボタンを前記ガス抜き位置に保持するため前記カバー体に形成された保持作用部（例えば後述の切欠き部分を除く環状垂下部２５の底面２５ａ，天井部４２の底面４２ｅ）との当接作用により、当該操作ボタンの前記ガス抜き位置から前記静止モード位置への復帰動作を阻止するための被保持作用部（例えば後述のガス抜きモード設定本体部３２の突状部）と、
前記操作ボタンの上下動は許容して少なくともガス抜きモード設定用の回動を阻止するための、操作規制部（例えば後述の切欠き）と、これとの間の作用により当該阻止動作を行なうとともに分離可能な形で固定される態様の一体化部（例えば後述の起立片部）との、一方（例えば後述の起立片部３３）を備えた、
ことを特徴とするエアゾール式のガス抜きモード設定用部材。
【００１２】
上記構成からなるガス抜き機構を備え、かつ、放出用ガスおよび内容物を収容したエアゾール式製品も本発明の対象としている。
【発明の効果】
【００１３】
本発明は、このようにエアゾール式製品の作動モード位置の操作ボタンをガス抜きモードに移行させる回動操作の誤操作防止構造を設け、ガス抜きモード設定の際にはこの誤操作防止構造の機能を利用者がいわば解除する、例えば操作ボタンとの一体化部分を分離しすることが必要なガス抜き機構になっているので、利用者の不注意や無意識の操作で作動モード位置の操作ボタンがガス抜きモード位置に設定されるのを防止し、内容物が容器に入っている通常の使用状態では必要のないガス抜きモード設定操作の確実化，安定化を図ることができる。
【００１４】
また、操作ボタンを、ボタン本体部と、これとは別部材のガス抜きモード設定用部材とで構成しているので、ガス抜きモード設定機能を有していない既存の操作ボタンもこのガス抜きモード設定用部材を取り付ければガス抜きモードの設定・保持が可能であり、エアゾール式製品の操作ボタンの全体的な有効利用化を図ることができる。
【発明を実施するための最良の形態】
【００１５】
図１乃至図５を用いて本発明を実施するための最良の形態を説明する。
図１は容器本体側と外嵌合しているカバー体および、ガス抜きモード設定部と同一ピースの噴霧用ボタンからなるガス抜き機構の静止モードを示す説明図であり、（ａ）は平面図を示し，（ｂ）はＡ−Ａ′方向の断面図を示し、
図２は図１の機構のガス抜きモードを示す説明図であり、（ａ）は平面図を示し，（ｂ）はＡ−Ａ′方向の断面図を示し、
図３は容器本体側と外嵌合しているカバー体および、ガス抜きモード設定部を別ピースとした噴霧用ボタンからなるガス抜き機構の静止モードを示す説明図であり、
図４は容器本体側と内嵌合しているカバー体および、ガス抜きモード設定部と同一ピースの噴霧用ボタンからなるガス抜き機構の静止モードを示す説明図であり、（ａ）は平面図を示し，（ｂ）はＢ−Ｂ′方向の断面図を示し、
図５は容器本体側と内嵌合しているカバー体および、ガス抜きモード設定部を別ピースとした噴霧用ボタンからなるガス抜き機構の静止モードを示す説明図である。
【００１６】
これらの図において、
１０はガス抜きモード設定部（後述の突状部１２および起立片部１３）と一体タイプの噴霧用ボタン（図１，図２および図４の操作ボタン），
１１は後述のステム５０と嵌合状態（後述の筒状部分３１ｂ参照）のボタン本体部，１１ａは利用者の押圧操作面，
１２はボタン本体部１１の外周面下端部分の対向位置（１８０度離れた位置）に一体形成されて後述の凹状部２４ａおよび２４ｄに回動規制されるガス抜きモード設定用の一対の突状部，
１３はボタン本体部１１の外周面下端部分の突状部１２から９０度離れた位置に取り外し可能な態様で一体形成されて後述の凹状部２４ｂに回動規制されるガス抜きモード設定阻止用（誤操作防止用）の起立片部，１３ａはボタン本体部１１との連結作用を呈しガス抜きモード設定の際には分離される薄肉部分，１３ｂは上端側の鍵状となった把持部分，
１４はボタン本体部１１に形成された（または当該ボタン本体部に取り付けて使用される別ピースの）噴口，
２０は後述のマウンティングカップ８０（容器本体７０）の外側凹状部に外嵌合しているカバー体（図１，図２および図３のカバー体），
２１はカバー体２０の環状の下壁部，２１ａは当該下壁部に設けられて後述のマウンティングカップ８０と係合する凸状部分，
２２はカバー体２０の下壁部２１より内側に形成された環状の上壁部，
２３は下壁部２１と上壁部２２との間の環状段部，
２４は上壁部２２の内側に続く環状の天井部，２４ａ〜２４ｄは当該天井部の内端部分の略９０度ごとの離間位置に形成された（２４ａおよび２４ｃは一対の突状部１２に対応し、２４ｂは起立片部１３に対応する）凹状の切欠き，
２５は天井部２４の内端部分に沿って形成された環状垂下部，２５ａは当該環状垂下部の底面，
２６は環状垂下部２５の内側に生成される開口域，
３０は後述のガス抜きモード設定部３２を別体にした噴霧用ボタン（図３および図５の操作ボタン），
３１は後述のステム５０と嵌合状態のボタン本体部（＝既存の操作ボタン），３１ａは利用者の押圧操作面，３１ｂはその上流側端部にステム５０が嵌合する内容物通路用の筒状部分，
３２はボタン本体部３１と嵌合する別ピースであって噴霧用ボタン１０の突状部１２と同様の突状部を一体成形により備えたガス抜きモード設定本体部，３２ａは当該ボタン本体部の内周面下端部分と嵌合する環状の段周面部，３２ｂは当該ボタン本体部の筒状部分３１ｂの外周面に当接して係合する環状のテーパ突出部，
３３はガス抜きモード設定本体部３２と一体成形されて凹状部２４ｂに回動規制されるガス抜きモード設定阻止用（誤操作防止用）の起立片部，３３ａは当該ガス抜きモード設定本体部との連結作用を呈しガス抜きモード設定の際には分離される薄肉部分，３３ｂは上端側の鍵状となった把持部分，
３４はボタン本体部３１に形成された（または当該ボタン本体部に取り付けて使用される別ピースの）噴口，
４０は後述のマウンティングカップ８０の内側凹状部に内嵌合しているカバー体（図４および図５のカバー体），
４１はカバー体４０の環状の壁部，４１ａは当該壁部に形成されて後述のマウンティングカップ８０と係合する環状の凸状部分，４１ｂは当該壁部に形成されて当該マウンティングカップの上端部分と当接する環状の鍔部分，
４２は壁部４１の内側に続く間歇的に形成された計４箇所の環状の天井部，４２ａ〜４２ｄは当該天井部の内端部分の略９０度ごとの離間位置に形成された（４２ａおよび４２ｃは一対の突状部に対応し、４２ｂは起立片部３３に対応する）凹状の切欠き，４２ｅは当該天井部の底面,
４３は天井部４２の内側に生成される開口域，
５０は噴霧用ボタン１０の筒状部（内容物通路）と嵌合し、当該操作ボタンの上下動操作により内容物の放出弁として作用するステム，
６０はステム３０を保持するとともに内容物の下流側収納空間としても作用するハウジング，
７０は後述の内容物および放出ガスを収容するための容器本体，
８０はハウジング６０を保持した状態で容器本体の開口縁部分に取り付けられるマウンティングカップ，
をそれぞれ示している。
【００１７】
ここで、参照番号１１〜１４のそれぞれは噴霧用ボタン１０の構成要素であり、参照番号２１〜２６のそれぞれはカバー体２０の構成要素であり、参照番号３１〜３４のそれぞれは噴霧用ボタン３０の構成要素であり、参照番号４１〜４３のそれぞれはカバー体４０の構成要素である。
【００１８】
また、アルファベット付き参照番号の構成要素（例えば薄肉部分１３ａ）は、アルファベットなし参照番号の構成要素（例えば起立片部１３）の一部である。
【００１９】
なお、噴霧用ボタン１０，３０およびカバー体２０，４０の材質は、ポリプロピレン，ポリエチレン，ポリアセタール，ナイロン，ポリブチレンテレフタレートなどのプラスチックである。
【００２０】
図１〜図５で示される各ガス抜き機構の基本的特徴は、
(1)起立片部１３，３３がそれぞれ図示のようにボタン本体部１１やガス抜きモード設定本体部３２と連結している場合（＝分離されていない場合）には、噴霧用ボタン１０，３０が上下動のみ可能であってその回動はカバー体２０，４０の凹状部分２４ｂにより阻止されるので、このガス抜き機構がガス抜きモード（＝噴霧用ボタン１０，３０の一対の突状部１２がそれぞれカバー体２０，４０の環状垂下部２５，天井部４２の下方側に移動してその底面２５ａ，４２ｅと当接した状態）に設定・保持されることはなく、
(2)起立片部１３，３３がボタン本体部１１，３１（ガス抜きモード設定本体部３２）から取り外された場合には、当該起立片部に対するカバー体２０，４０（切欠き２４ｂ，４２ｂ）の回動阻止作用はなくなるので、利用者が静止モードの噴霧用ボタン１０，３０を作動モード位置まで押下げてから回動することにより、当該噴霧用ボタンはガス抜きモード（図２参照）に設定・保持される、
ようにしたことである。
【００２１】
すなわち、
(3)内容物がまだ残っていて廃棄対象にはならない段階では、噴霧用ボタン１０,３０を、起立片部１３，３３と一体化したままの上下動のみが可能な状態で用い、
(4)内容物を使い切って容器内の残留ガスを抜く必要が生じた段階では、この起立片部１３,３３を噴霧用ボタン１０,３０から分離させるといった余分の操作を利用者に課し、これにより通常の作動モードから利用者のちょっとした手の動きなどによってその意思に反する形で当該噴霧用ボタンがガス抜きモードに移行するのを阻止したものである。
【００２２】
なお、起立片部１３，３３（ボタン本体部１１，ガス抜きモード設定本体部３２）とカバー体２０，４０とを、いわば仮固定部によりつなげた状態で一体成形してもよい。
【００２３】
この仮固定部付きのままの噴霧用ボタン１０,３０およびカバー体２０，４０をステム５０およびマウンティングカップ８０（容器本体７０）に取り付けた場合には、この仮固定部がいわゆるバージンシールの機能を持つことになる。
【００２４】
すなわち、この仮固定部は噴霧用ボタン１０,３０が押圧されるとちぎれてしまうので、例えば店頭に陳列されているエアゾール式製品の仮固定部が元の付いたままになっているかをみれば、その製品が１回でも使用されたものであるかどうかをチェックできる。
【００２５】
また、この仮固定部付きのままの取付け方式においては、噴霧用ボタン１０，３０（ガス抜きモード設定本体部３２）およびカバー体２０，４０の取付け工程までの管理が一元化されて効率的である。
【００２６】
図１の静止モードでは、カバー体２０がその凸状部分２１ａと環状段部２３とでマウンティングカップ８０の上端外側部分に外嵌合して固定され、噴霧用ボタン１０がステム５０と嵌合して周知のスプリング（図示省略）の付勢力により開口域２６を上動した状態になっている。
【００２７】
この状態ではステム５０の周知の弁作用部（図示省略）が閉じており、容器本体７０の内容物は勿論外部空間に噴射されない。
【００２８】
図１の噴霧用ボタン１０の押圧操作面１１ａを利用者が押し下げると、当該ボタンおよびステム５０が上記スプリングの付勢力に抗して下動し、上記弁作用部が開くので、容器本体７０の内容物は「当該弁作用部−ステム５０−ボタン本体部１１の通路部分−噴口１４」を経て外部空間に噴射される。
【００２９】
図２のガス抜きモードは、図１の噴霧用ボタン１０に対し、
・先ず起立片部１３をボタン本体部１１から取り外して、
・次に、当該ボタンを作動モード位置まで押下げてから図示の時計方向に回動することにより、突状部１２が環状垂下部２５（カバー体２０）の底面２５ａに当接して保持される状態に設定した、
ものである。
【００３０】
このガス抜きモードにおけるステム５０の上記弁作用部は作動モードと同じく開状態になるので、容器本体７０の残留ガスは作動モードのときと同じ経路により噴口１４から外部空間に放出される。
【００３１】
図３のガス抜き機構は、図１および図２のそれに比べて噴霧用ボタン３０の構造が相違している。
【００３２】
図３の噴霧用ボタン３０の場合、
・ボタン本体部３１として既存の操作ボタンを用い、
・ガス抜きモード設定部（＝ガス抜きモード設定本体部３２＋起立片部３３）をボタン本体部３１とは別部材とし、
・ガス抜きモード設定本体部３２を、その段周面部３２ａとテーパ突出部３２ｂとでボタン本体部３１に嵌合させている。
【００３３】
図４のガス抜き機構は、図１および図２のそれに比べてカバー体４０の構造が相違している。
【００３４】
図４のカバー体４０の場合、
・その凸状部分４１ａと鍔部分４１ｂとでマウンティングカップ８０の上端内側部分に内嵌合して固定され、
・４箇所の天井部４２はそれぞれの全体が同じ厚みからなり、
・ガス抜きモードにおいては、噴霧用ボタン１０の突状部１２が当該天井部の底面４２ｅに当接して保持される。
【００３５】
図５のガス抜き機構は、図３の噴霧用ボタン３０と図４のカバー体４０とを組み合わせて用いたものであり、
・噴霧用ボタン３０は、既存のボタン本体部３１と、これとは別部材のガス抜きモード設定部（＝ガス抜きモード設定本体部３２＋起立片部３３）とからなり、
・カバー体４０はマウンティングカップ８０に内嵌合している。
【００３６】
なお、本発明が図示の内容に限定されないことは勿論であり、例えば、
(11)噴霧用ボタン１０，３０のガス抜きモード設定用の突状部１２を１個にする、または切欠き２４ｄ，４２ｄに対応する位置にも形成する、
(12)起立片部１３，３３をボタン本体部１１やガス抜きモード設定本体部３２とは別ピースのものにして、両者を着脱自在な態様にする、
(13)ガス抜きモード設定用の突状部１２および起立片部１３，３３と、カバー体２０，４０の切欠き２４ａ，２４ｂ，２４ｃ，４２ａ，４２ｂ，４２ｃとの関係を、静止モードでの噴霧用ボタン１０，３０の回動を許容する態様にする、
(14)ガス抜きモード設定用の突状部１２をカバー体２０，４０に形成し、これに対する凹状部（＝切欠き２４ａ，２４ｃ，４２ａ，４２ｃおよび環状垂下部の底面２５ａ，天井部の底面４２ｅと同様の作用を呈する、上下方向部分とこれに続く左右方向部分とからなるＬ字状の凹状部）をボタン本体部１１やガス抜きモード設定本体部３２に形成する、
(15)起立片部１３，３３をカバー体２０，４０に形成し、これに対する凹状部（＝切欠き２４ｂ，４２ｂと同様の作用を呈する上下方向の凹状部）をボタン本体部１１やガス抜きモード設定本体部３２に形成する、
(16)噴霧用ボタンとしてスパウト作動に対応したものを用いる、
ようにしてもよいことは勿論である。
【００３７】
容器内容物の対象としては、液状，発泡性（泡状），ペースト状，ジェル状，粉状などの各種性状のものがある。
【００３８】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３９】
容器本体に収納する内容物は、例えば、粉状物，油成分，アルコール類，界面活性剤，高分子化合物，各用途に応じた有効成分などである。
【００４０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４２】
アルコール類としては、エタノールなどの１価の低級アルコール，ラウリルアルコールなどの１価の高級アルコール，エチレングリコールなどの多価アルコールなどを用いる。
【００４３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４４】
高分子化合物としては、メチルセルロース，ゼラチン，デンプン，カゼインなどを用いる。
【００４５】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４６】
さらに、上記内容物以外の、懸濁剤，紫外線吸収剤，乳化剤，保湿剤，酸化防止剤、金属イオン封鎖剤なども用いることができる。
【００４７】
内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４８】
【図１】本発明の、容器本体側と外嵌合しているカバー体および、ガス抜きモード設定部と同一ピースの噴霧用ボタン（操作ボタン）からなるガス抜き機構の静止モードを示す説明図であり、（ａ）は平面図を示し，（ｂ）はＡ−Ａ′方向の断面図を示している。
【図２】本発明の、図１の機構のガス抜きモードを示す説明図であり、（ａ）は平面図を示し，（ｂ）はＡ−Ａ′方向の断面図を示している。
【図３】本発明の、容器本体側と外嵌合しているカバー体および、ガス抜きモード設定部が別ピースの噴霧用ボタンからなるガス抜き機構の静止モードを示す説明図である。
【図４】本発明の、容器本体側と内嵌合しているカバー体および、ガス抜きモード設定部と同一ピースの噴霧用ボタンからなるガス抜き機構の静止モードを示す説明図であり、（ａ）は平面図を示し，（ｂ）はＢ−Ｂ′方向の断面図を示している。
【図５】本発明の、容器本体側と内嵌合しているカバー体および、ガス抜きモード設定部が別ピースの噴霧用ボタンからなるガス抜き機構の静止モードを示す説明図である。
【符号の説明】
【００４９】
１０：噴霧用ボタン（図１，図２および図４の操作ボタン）
１１：ボタン本体部
１１ａ：押圧操作面
１２：ガス抜きモード設定用の一対の突状部
１３：ガス抜きモード設定阻止用（誤操作防止用）の起立片部
１３ａ：薄肉部分
１３ｂ：上端側の鍵状となった把持部分
１４：噴口
２０：容器と外嵌合のカバー体（図１，図２および図３のカバー体）
２１：環状の下壁部
２１ａ：凸状部分
２２：環状の上壁部
２３：環状段部
２４：天井部
２４ａ〜２４ｄ：凹状の切欠き
２５：環状垂下部
２５ａ：底面
２６：開口域
３０：噴霧用ボタン（図３および図５の操作ボタン）
３１：ボタン本体部（＝既存の操作ボタン）
３１ａ：押圧操作面
３１ｂ：内容物通路用の筒状部分
３２：ガス抜きモード設定本体部
３２ａ：段周面部
３２ｂ：テーパ突出部
３３：起立片部
３３ａ：薄肉部分
３３ｂ：把持部分
３４：噴口
４０：容器と内嵌合のカバー体（図４および図５のカバー体）
４１：環状の壁部
４１ａ：環状の凸状部分
４１ｂ：環状の鍔部分
４２：計４箇所の環状の天井部
４２ａ〜４２ｄ：凹状の切欠き
４２ｅ：底面
４３：開口域
５０：ステム
６０：ハウジング
７０：容器本体
８０：マウンティングカップ
【図１】
2006131293.tif 000003
【図２】
2006131293.tif 000004
【図３】
2006131293.tif 000005
【図４】
2006131293.tif 000006
【図５】
2006131293.tif 000007